(57)【要約】【課題】スイッチの切替周波数に応じたノイズが出力電圧に重畳されていた。【解決手段】演算増幅器と、第１の容量と、所定の周期で、前記第１の容量を前記演算増幅器の反転入力端子と出力端子との間に接続して充電、もしくは、前記第１の容量を前記演算増幅器の反転入力端子と出力端子との間から遮断し放電させる第１のスイッチと、を備えるスイッチドキャパシタ回路であって、当該スイッチドキャパシタ回路の出力電圧を出力する出力端子と、前記演算増幅器の出力端子との間に接続され、前記第１のスイッチが前記第１の容量を前記演算増幅器の反転入力端子と出力端子との間に接続した所定の時間後に、当該スイッチドキャパシタ回路の出力電圧を出力する出力端子と、前記演算増幅器の出力端子とを接続するスイッチドキャパシタ回路。【選択図】図１
2011166419.tif 000002
【特許請求の範囲】
【請求項１】
演算増幅器と、
第１の容量と、
所定の周期で、前記第１の容量を前記演算増幅器の反転入力端子と出力端子との間に接続して充電、もしくは、前記第１の容量を前記演算増幅器の反転入力端子と出力端子との間から遮断し放電させる第１のスイッチと、を備えるスイッチドキャパシタ回路であって、
当該スイッチドキャパシタ回路の出力電圧を出力する出力端子と、前記演算増幅器の出力端子との間に接続され、前記第１のスイッチが前記第１の容量を前記演算増幅器の反転入力端子と出力端子との間に接続した所定の時間後に、当該スイッチドキャパシタ回路の出力電圧を出力する出力端子と、前記演算増幅器の出力端子とを接続する
スイッチドキャパシタ回路。
【請求項２】
当該スイッチドキャパシタ回路の出力電圧を出力する出力端子と、前記演算増幅器の出力端子との間に接続され、前記第１のスイッチが前記第１の容量を前記演算増幅器の反転入力端子と出力端子との間に接続した所定の時間後に、当該スイッチドキャパシタ回路の出力電圧を出力する出力端子と、前記演算増幅器の出力端子とを接続する第２のスイッチと、
前記第２のスイッチと、当該スイッチドキャパシタ回路の出力電圧を出力する出力端子との間に接続されるローパスフィルタと、を更に有する
請求項１に記載のスイッチドキャパシタ回路。
【請求項３】
前記第２のスイッチと前記ローパスフィルタとの間の第１のノードと、接地端子との間に接続される第２の容量を更に有する
請求項２に記載のスイッチドキャパシタ回路。
【請求項４】
前記ローパスフィルタは、第３の容量と、第１の抵抗とを有し、
前記第１の抵抗は、前記第１のノードと、当該スイッチドキャパシタ回路の出力電圧を出力する出力端子との間に直列に接続され、
前記第３の容量は、当該スイッチドキャパシタ回路の出力電圧を出力する出力端子と接地端子との間に接続される
請求項３に記載のスイッチドキャパシタ回路。
【請求項５】
前記演算増幅回路の非反転入力端子には、当該スイッチドキャパシタ回路の入力電圧が入力され、
第４の容量と、第３のスイッチとを更に有し、
前記第４の容量は、前記第３のスイッチと接地端子との間に接続され、
前記第３のスイッチは、所定の周期で、前記第４の容量を前記演算増幅器の反転入力端子と接地端子との間に接続して充電、もしくは、前記第４の容量の両端を接地端子に接続して放電させることで、当該スイッチドキャパシタ回路を電圧増幅回路として利用する
請求項１〜請求項４のいずれか１項に記載のスイッチドキャパシタ回路。
【請求項６】
前記第１のスイッチは、前記第１の容量を前記演算増幅器の反転入力端子と出力端子との間から遮断する間、前記第１の容量の両端を接地端子に接続する
請求項１〜請求項５のいずれか１項に記載のスイッチドキャパシタ回路。
【請求項７】
前記第１のスイッチは、それぞれ前記第１の容量の両端に接続され、同期して動作するスイッチ回路対からなる
請求項６に記載のスイッチドキャパシタ回路。
【請求項８】
入力電圧を増幅して出力端子から出力するスイッチドキャパシタ回路であって、
非反転入力端子に前記入力電圧を入力し、反転入力端子が第１のノードと接続され、出力端子が第２のノードに接続される演算増幅器と、
第３のノードと第４のノードとの間に接続される第１の容量と、
第５のノードと接地端子との間に接続される第２の容量と、
第６のノードと接地端子との間に接続される第３の容量と、
前記第６のノードと、当該スイッチドキャパシタ回路の出力端子との間に接続されるローパスフィルタと、
前記第３のノードと前記第１のノードとの接続、もしくは、前記第３のノードと接地端子との接続、を所定の周期で切り替える第１のスイッチと、
前記第１のスイッチに同期して動作し、前記第２のノードと前記第４のノードとの接続、もしくは、前記第２のノードと接地端子との接続、を所定の周期で切り替える第２のスイッチと、
前記第２のスイッチが前記第２のノードと前記第４のノードとを接続した所定の時間後に、前記第２のノードをオープンから前記第６のノードに接続する第３のスイッチと、
前記第５のノードと前記第１のノードとの接続、もしくは、前記第５のノードと接地端子との接続、を所定の周期で切り替える第４のスイッチと、を有する
スイッチドキャパシタ回路。
【発明の詳細な説明】
【技術分野】
【０００１】
本発明は、スイッチドキャパシタ回路に関するものである。
【背景技術】
【０００２】
携帯電話などの高周波信号を扱う回路において、信号電力を効率よく伝える為に、特性インピーダンスを合わせる必要がある。これを行うには、精度の良いインダクタや容量が必要となるが、半導体回路においては容量値のばらつきが問題となるため、そのばらつきを検出する必要がある。そのために、基準となる容量と、対象となる容量を共にスイッチドキャパシタ動作をさせ、この等価抵抗でオペアンプを駆動させることで、容量ばらつきを電圧として検出している。
【０００３】
図３Ａ、図３Ｂに従来のスイッチドキャパシタ回路を利用した積分器１を示す。図３Ａ、図３Ｂに示すように、積分器１は、オペアンプＯＰ１と、スイッチ容量Ｃ１と、帰還容量Ｃ２と、スイッチＳＷ１とを有する。
【０００４】
図３Ａ、図３Ｂを用いて、積分器１の動作を説明する。図３Ａに示すように、スイッチＳＷ１が入力端子Ｖｉｎ側に接続される。なお、入力端子Ｖｉｎには、入力電圧Ｖｉｎが印加されているものとする。このとき、スイッチ容量Ｃ１には電圧Ｖｉｎに応じて、電荷が充電される。
【０００５】
次に、図３Ｂに示すように、スイッチＳＷ１がオペアンプＯＰ１の反転入力端子側に接続される。スイッチ容量Ｃ１の両端には、共に接地電位ＧＮＤとなる為、スイッチ容量Ｃ１に充電されていた電荷が放電される。このように図３Ａと図３Ｂの接続状態を交互に繰り返すことにより、スイッチ容量Ｃ１が電荷の充放電を繰り返す。この時の充放電電流をＩｊとし、スイッチＳＷ１の切替周波数をＦｓとすると、以下の式（１）が成り立つ。
【数１】
2011166419.tif 000003
【０００６】
式（１）に示すように、スイッチ容量Ｃ１には一定の電流が流れる為、等価的な抵抗となり、等価回路として図３Ｃの回路とみなすことができる。この積分器１の時定数Ｔは、以下のような式（２）となり、容量Ｃ１、Ｃ２の絶対的なばらつきに関係なく、相対精度のみに依存することになる。
【数２】
2011166419.tif 000004
【０００７】
図４Ａ〜図４Ｃに、図３Ａ〜図３Ｃの積分器１の構成を変更した、スイッチドキャパシタを利用した電圧増幅回路２を示す。図４Ａ、図４Ｂに示すように、電圧増幅回路２は、オペアンプＯＰ１と、スイッチ容量Ｃ１と、帰還容量Ｃ２と、スイッチＳＷ１、ＳＷ２、ＳＷ３とを有する。
【０００８】
図４Ａ、図４Ｂを用いて、電圧増幅回路２の動作を説明する。図４Ａに示すように、スイッチＳＷ１、ＳＷ２がオペアンプＯＰ１の反転入力端子側、スイッチＳＷ３が出力端子Ｖｏｕｔ側に接続される。なお、出力端子Ｖｏｕｔの出力電圧をＶｏｕｔとするものとする。このとき、容量Ｃ１、Ｃ２は充電される。
【０００９】
次に、図４Ｂに示すように、スイッチＳＷ１が入力端子Ｖｉｎ側、スイッチＳＷ２、ＳＷ３が接地端子ＧＮＤ側に接続される。このため、容量Ｃ１、Ｃ２に充電された電荷が放電される。これを繰り返すことにより容量Ｃ１には充電電流Ｉ１、容量Ｃ２には充電電流Ｉ２が流れる。この電流Ｉ１、Ｉ２は、それぞれ以下のような式（３）、式（４）で表すことができる。
【数３】
2011166419.tif 000005
【００１０】
式（３）、式（４）からもわかるように、Ｃ１、Ｃ２は、それぞれ等価的に抵抗となり、等価回路として図４Ｃのような回路と同等となる。
【００１１】
この時の出力電圧ＶｏｕｔをＶｉｎで表すと、式（５）となり、出力電圧はＣ１とＣ２の容量の比で表される。
【数４】
2011166419.tif 000006
【００１２】
このようにして、例えば基準容量をＣ２とし、容量Ｃ１にばらつきを検出したい容量を接続することで、容量ばらつきを電圧として検出することが可能となる。
【００１３】
なお、スイッチドキャパシタを用いた積分器が特許文献１に、スイッチドキャパシタフィルタにローパスフィルタを従属接続した技術が特許文献２に記載されている。
【先行技術文献】
【特許文献】
【００１４】
【特許文献１】特開２００３−２０３１９５号公報
【特許文献２】特開昭５８−１９８９１８号公報
【発明の概要】
【発明が解決しようとする課題】
【００１５】
図４Ａ、図４Ｂの電圧増幅回路２の出力電圧Ｖｏｕｔは式（５）のようにスイッチ周波数Ｆｓとは関係がなくなる。だが、実際の回路の動作では、スイッチＳＷ１、ＳＷ２、ＳＷ３の切り替えを繰り返すため、オペアンプＯＰ１の出力端子は、容量Ｃ２に対して接続もしくはオープンを繰り返すことになる。この為、特許文献２に記載されているのと同様にスイッチ周波数Ｆｓのノイズ（以下スイッチングノイズＮｓと称す）が重畳されてしまう。
【００１６】
そこで図５のように出力にスイッチングノイズＮｓを取り除くためにオペアンプＯＰ１の出力にローパスフィルタＬＰＦ１として抵抗Ｒ３、容量Ｃ３を挿入する必要がある。しかしながら、十分にスイッチングノイズＮｓを取り除くためには、ローパスフィルタＬＰＦ１の次数を上げるか、オペアンプＯＰ１の出力の駆動能力を上げる必要があり、回路規模の増大もしくはオペアンプＯＰ１の消費電流増加に繋がっていた。
【課題を解決するための手段】
【００１７】
本発明は、演算増幅器と、第１の容量と、所定の周期で、前記第１の容量を前記演算増幅器の反転入力端子と出力端子との間に接続して充電、もしくは、前記第１の容量を前記演算増幅器の反転入力端子と出力端子との間から遮断し放電させる第１のスイッチと、を備えるスイッチドキャパシタ回路であって、当該スイッチドキャパシタ回路の出力電圧を出力する出力端子と、前記演算増幅器の出力端子との間に接続され、前記第１のスイッチが前記第１の容量を前記演算増幅器の反転入力端子と出力端子との間に接続した所定の時間後に、当該スイッチドキャパシタ回路の出力電圧を出力する出力端子と、前記演算増幅器の出力端子とを接続するスイッチドキャパシタ回路である。
【００１８】
本発明の他の態様は、入力電圧を増幅して出力端子から出力するスイッチドキャパシタ回路であって、非反転入力端子に前記入力電圧を入力し、反転入力端子が第１のノードと接続され、出力端子が第２のノードに接続される演算増幅器と、第３のノードと第４のノードとの間に接続される第１の容量と、第５のノードと接地端子との間に接続される第２の容量と、第６のノードと接地端子との間に接続される第３の容量と、前記第６のノードと、当該スイッチドキャパシタ回路の出力端子との間に接続されるローパスフィルタと、前記第３のノードと前記第１のノードとの接続、もしくは、前記第３のノードと接地端子との接続、を所定の周期で切り替える第１のスイッチと、前記第１のスイッチに同期して動作し、前記第２のノードと前記第４のノードとの接続、もしくは、前記第２のノードと接地端子との接続、を所定の周期で切り替える第２のスイッチと、前記第２のスイッチが前記第２のノードと前記第４のノードとを接続した所定の時間後に、前記第２のノードをオープンから前記第６のノードに接続する第３のスイッチと、前記第５のノードと前記第１のノードとの接続、もしくは、前記第５のノードと接地端子との接続、を所定の周期で切り替える第４のスイッチと、を有するスイッチドキャパシタ回路である。
【００１９】
本発明にかかるスイッチドキャパシタ回路は、第１のスイッチが第１の容量を演算増幅器の反転入力端子と出力端子との間に接続した所定の時間後に、スイッチドキャパシタ回路の出力端子と、演算増幅器の出力端子とを接続する。このため、演算増幅器から出力される第１のスイッチが切り替わることにより発生するノイズが減衰し、演算増幅器から出力される電圧が所定の値となったとき、スイッチドキャパシタ回路の出力端子と、演算増幅器の出力端子とを接続することができる。このため、上記ノイズがスイッチドキャパシタ回路の出力端子に伝達されるのを防ぐことができる。このため、上記ノイズを減衰させるためのローパスフィルタの次数を下げることが可能となり、また、消費電流が増大する高性能の演算増幅器を使用する必要がない。
【発明の効果】
【００２０】
本発明にかかるスイッチドキャパシタ回路は、ローパスフィルタの次数を上げたり、オペアンプの消費電流を増加することなくスイッチングノイズを取り除くことができる。
【図面の簡単な説明】
【００２１】
【図１】実施の形態にかかるスイッチドキャパシタ回路の構成および動作の一例である。
【図２】実施の形態にかかるスイッチドキャパシタ回路の動作を示すタイミングチャートである。
【図３】従来のスイッチドキャパシタ回路の構成および動作である。
【図４】従来のスイッチドキャパシタ回路の構成および動作である。
【図５】従来のスイッチドキャパシタ回路にローパスフィルタを付加した場合の構成および動作である。
【発明を実施するための形態】
【００２２】
発明の実施の形態１
【００２３】
以下、本発明を適用した具体的な実施の形態について、図面を参照しながら詳細に説明する。この実施の形態は、本発明のスイッチドキャパシタ回路を電圧増幅回路１００に適用したものである。
【００２４】
図１Ａ、図１Ｂ、図１Ｃに本実施の形態にかかる電圧増幅回路１００の構成の一例を示す。図１Ａ〜図１Ｃに示すように、電圧増幅回路１００は、オペアンプＯＰ１と、容量Ｃ１と、容量Ｃ２と、スイッチＳＷ１、ＳＷ２、ＳＷ３、ＳＷ４と、容量Ｃ４と、ローパスフィルタＬＰＦ１と、入力端子Ｖｉｎと、出力端子Ｖｏｕｔとを有する。
【００２５】
ローパスフィルタＬＰＦ１は、容量Ｃ３と、抵抗Ｒ３とを有する。
【００２６】
オペアンプＯＰ１は、非反転入力端子が入力端子Ｖｉｎ、反転入力端子がノードＮ１、出力端子がノードＮ２に接続される。以下、オペアンプＯＰ１の出力端子から出力される電圧をＶｏｐとする。
【００２７】
スイッチＳＷ１は、端子ａが容量Ｃ１の一方の端子、端子ｂがノードＮ１、端子ｃが接地端子ＧＮＤに接続される。スイッチＳＷ１は、制御信号Ｓ１に応じて、端子ａと端子ｂ、ｃのどちらかとを選択して接続する。例えば、ロウレベルの制御信号Ｓ１が入力されると端子ａと端子ｂを接続し、ハイレベルの制御信号Ｓ１が入力されると端子ａと端子ｃを接続する。
【００２８】
容量Ｃ１は、一方の端子がスイッチＳＷ１の端子ａ、他方の端子が接地端子ＧＮＤに接続される。
【００２９】
スイッチＳＷ２は、端子ａが容量Ｃ２の一方の端子、端子ｂがノードＮ１、端子ｃが接地端子ＧＮＤに接続される。スイッチＳＷ２は、制御信号Ｓ２に応じて、端子ａと端子ｂ、ｃのどちらかとを選択して接続する。例えば、ロウレベルの制御信号Ｓ２が入力されると端子ａと端子ｂを接続し、ハイレベルの制御信号Ｓ２が入力されると端子ａと端子ｃを接続する。
【００３０】
容量Ｃ２は、一方の端子がスイッチＳＷ２の端子ａ、他方の端子がスイッチＳＷ３の端子ａに接続される。
【００３１】
スイッチＳＷ３は、端子ａが容量Ｃ２の他方の端子、端子ｂがノードＮ２、端子ｃが接地端子ＧＮＤに接続される。スイッチＳＷ３は、制御信号Ｓ３に応じて、端子ａと端子ｂ、ｃのどちらかとを選択して接続する。例えば、ロウレベルの制御信号Ｓ３が入力されると端子ａと端子ｂを接続し、ハイレベルの制御信号Ｓ３が入力されると端子ａと端子ｃを接続する。
【００３２】
スイッチＳＷ４は、端子ａがノードＮ２、端子ｂがノードＮ３に接続される。また、端子ｃはオープンとなる。スイッチＳＷ４は、制御信号Ｓ４に応じて、端子ａと端子ｂ、ｃのどちらかをと選択して接続する。例えば、ロウレベルの制御信号Ｓ４が入力されると端子ａと端子ｂを接続し、ハイレベルの制御信号Ｓ４が入力されると端子ａと端子ｃを接続する。
【００３３】
容量Ｃ４は、一方の端子がノードＮ３、他方の端子が接地端子ＧＮＤに接続される。
【００３４】
抵抗Ｒ３は、一方の端子がノードＮ３、他方の端子が出力端子Ｖｏｕｔに接続される。
【００３５】
容量Ｃ３は、一方の端子が出力端子Ｖｏｕｔ、他方の端子が接地端子ＧＮＤに接続される。
【００３６】
図１Ａ、図１Ｂ、図１Ｃ及び図２を用いて電圧増幅回路１００の動作を説明する。図２は、電圧増幅回路１００の動作を示すタイミングチャートである。なお、図１Ａ、図１Ｂ、図１Ｃに示す回路ユニット１１０は、基本的に電圧増幅回路２と同様の構成である。このため、動作も図４Ａ〜図４Ｃで説明したものと基本的に同じであり、説明済みである。よって、回路ユニット１１０の詳細な動作の説明は省略し、本実施の形態と電圧増幅回路２と相違する部分の動作を中心に説明を行う。
【００３７】
まず、図２の時刻ｔ１以前では、制御信号Ｓ１〜Ｓ４が全てハイレベルである。このため、図１Ａに示すように、スイッチＳＷ１〜ＳＷ４は、全て端子ａと端子ｃとが接続されている。
【００３８】
次に、図２の時刻ｔ１で、制御信号Ｓ１〜Ｓ３がロウレベルとなる。このため、図１Ｂに示すように、スイッチＳＷ１〜ＳＷ３は、端子ａと端子ｂとが接続される。ここで、時刻ｔ１では、オペアンプＯＰ１の出力端子が、オープンの状態から容量Ｃ２を経由して、非反転入力端子に電気的に接続される。このため、オペアンプＯＰ１の出力端子から出力される電圧Ｖｏｐは、図２に示すような乱れた波形となる。このように、図４Ａ、図４Ｂで説明したのと同様のスイッチングノイズＮｓが発生する。
【００３９】
但し、制御信号Ｓ４はハイレベルのままであるため、スイッチＳＷ４は、端子ａと端子ｃとが接続されている。このため、ローパスフィルタＬＰＦ１とノードＮ２とが電気的に遮断され、スイッチングノイズＮｓはローパスフィルタＬＰＦ１に伝わらない。
【００４０】
次に、図２の時刻ｔ１から所定の期間後の時刻ｔ２で、制御信号Ｓ４もロウレベルとなる。このため、図１Ｃに示すように、スイッチＳＷ１〜ＳＷ４は、全て端子ａと端子ｂとが接続される。このため、ノードＮ２とＮ３が電気的に接続され、オペアンプＯＰ１の出力端子から出力される電圧Ｖｏｐが、ローパスフィルタＬＰＦ１に伝わる。この時刻ｔ２では、上述した電圧Ｖｏｐの波形の乱れは収まっている。このため、電圧増幅回路１００の出力端子Ｖｏｕｔからの出力電圧Ｖｏｕｔも波形の乱れが生じない。
【００４１】
次に、図２の時刻ｔ３で、制御信号Ｓ１〜Ｓ３が全てハイレベルとなる。このため、再び、スイッチＳＷ１〜ＳＷ４は、全て端子ａと端子ｃとが接続され、図１Ａに示した構成に戻る。
【００４２】
そして、電圧増幅回路１００は、上述した動作を繰り返す。このことにより、式（５）で示したように従来と同様、基準容量をＣ２とし、Ｃ１にばらつきを検出したい容量を接続することで、容量ばらつきを電圧として検出することが可能となる。
【００４３】
ここで、従来のスイッチドキャパシタ回路を用いた電圧増幅回路２では、スイッチングノイズが、オペアンプＯＰ１の出力電圧に重畳されて出力されてしまっていた。このスイッチングノイズを除去するためには、図５に示したようなローパスフィルタＬＰＦ１を接続する必要があるが、ローパスフィルタＬＰＦ１の減衰量を大きくしなければならなかった。このため、ローパスフィルタＬＰＦ１を構成する抵抗Ｒ３や容量Ｃ３を大きくしたり、次数を上げねばならず、回路規模の増大を招いていた。
【００４４】
また、ローパスフィルタＬＰＦ１の減衰量を大きくできない場合、オペアンプＯＰ１の応答速度を上げ、オペアンプＯＰ１の出力電圧の波形乱れを速く収束させる必要があった。このためには、オペアンプＯＰ１の出力の駆動能力を上げる必要があり、オペアンプＯＰ１の消費電流増加に繋がっていた。
【００４５】
ここで、本実施の形態のスイッチドキャパシタ回路を用いた電圧増幅回路１００では、図１Ｂ及び図２に示すように、オペアンプＯＰ１の出力電圧Ｖｏｐの波形が乱れている間は、スイッチＳＷ４の端子ａを端子ｃに接続し、ノードＮ２とＮ３とを電気的に遮断する。そして、オペアンプＯＰ１の出力電圧Ｖｏｐが所望の電圧になってから、図１Ｃに示すように、スイッチＳＷ４の端子ａを端子ｂに接続し、ノードＮ２とＮ３とを電気的に接続する。このため、オペアンプＯＰ１の出力電圧Ｖｏｐの波形の大きな乱れをローパスフィルタＬＰＦ１に伝えないようにしている。
【００４６】
このため、ローパスフィルタＬＰＦ１の減衰量を小さくできるため、ローパスフィルタＬＰＦ１を構成する容量Ｃ３、抵抗Ｒ３を小さくできる。或いは、ローパスフィルタの次数を下げることができ、ローパスフィルタＬＰＦ１のように一次で構成することも可能となる。よって、電圧増幅回路１００の回路規模の増大を抑えることができる。
【００４７】
なお、理想的には、ローパスフィルタＬＰＦ１を削減することも可能であるが、実際には、スイッチＳＷ４が切り替わるときに、多少電圧Ｖｏｐの波形の乱れが生じる為、ローパスフィルタＬＰＦ１は残す必要がある。また、容量Ｃ４は、スイッチＳＷ４が、オープンとなっている時間にローパスフィルタＬＰＦ１の入力電圧を保持する為に必要となる。
【００４８】
また、オペアンプＯＰ１の出力応答は、スイッチＳＷ２、ＳＷ３がそれぞれ端子ａと端子ｂを接続する時刻ｔ１から所定の期間後のスイッチＳＷ４が端子ａと端子ｂを接続するまでの時刻ｔ２は、電圧Ｖｏｐ波形の乱れが落ち着く程度まで遅くできる。このため、オペアンプＯＰ１の出力段のＢｉａｓ電流も抑えることができ、オペアンプＯＰ１の消費電流を抑えることが可能となる。また位相補償の時定数も十分大きくでき、回路が安定となる。
【００４９】
なお、本発明は上記実施の形態に限られたものでなく、趣旨を逸脱しない範囲で適宜変更することが可能である。
【符号の説明】
【００５０】
１００  電圧増幅回路
ＬＰＦ１  ローパスフィルタ
ＯＰ１  オペアンプ
ＳＷ１〜ＳＷ４  スイッチ
Ｃ１〜Ｃ４  容量
Ｒ３  抵抗
Ｖｉｎ  入力端子
Ｖｏｕｔ  出力端子
【図１】
2011166419.tif 000007
【図２】
2011166419.tif 000008
【図３】
2011166419.tif 000009
【図４】
2011166419.tif 000010
【図５】
2011166419.tif 000011